(57)【要約】【課題】ケーブルのねじれを確実に防止できると共にアナログ機器のケーブルに適用できる低ノイズのケーブルねじれ止め構造体を提供すること。【解決手段】一方のケーブルの端部が連結される棒状の電極端子５と、他方のケーブルの端部が連結されると共に上記電極端子５が回転自在に内嵌される端子受け部１２とを備える。上記端子受け部１２は、上記電極端子５に接触あるいは近接する電気的接点部材１７ａ，１７ｂ，１７ｃを含む。上記電極端子５と上記電気的接点部材１７ａ，１７ｂ，１７ｃとの接触している部分の近傍または上記電極端子５と上記電気的接点部材１７ａ，１７ｂ，１７ｃとの間に、潤滑性と粘性を有する導電部材１８ａ，１８ｂ，１８ｃを設ける。【選択図】  図４
2005019014.tif 000002
【特許請求の範囲】
【請求項１】
一方のケーブルの端部が連結される棒状の電極端子と、他方のケーブルの端部が連結されると共に上記電極端子が回転自在に内嵌される端子受け部とを備えたケーブルねじれ止め構造体であって、
上記端子受け部は、上記電極端子に接触あるいは近接する電気的接点部材を含み、
上記電極端子と上記電気的接点部材との接触している部分の近傍または上記電極端子と上記電気的接点部材との間に設けられた潤滑性と粘性を有する導電部材を備えたことを特徴とするケーブルねじれ止め構造体。
【請求項２】
複数の導体を有する一方のケーブルの端部が連結される棒状の電極端子と、複数の導体を有する他方のケーブルの端部が連結されると共に上記電極端子が軸心廻りに回転自在に内嵌される端子受け部とを備えたケーブルねじれ止め構造体であって、
上記電極端子は、上記軸心方向に沿って配置されると共に上記一方のケーブルの各導体が連結されると共に互いに電気的に絶縁された複数の電極部を含み、
上記端子受け部は、上記各電極部に接触あるいは近接すると共に上記他方のケーブルの各導体が連結される複数の電気的接点部材を含み、
上記電極部と上記電気的接点部材との接触している部分の近傍または上記電極部と上記電気的接点部材との間に設けられた潤滑性と粘性を有する導電部材を備えたことを特徴とするケーブルねじれ止め構造体。
【請求項３】
請求項１または２に記載のケーブルねじれ止め構造体において、
上記導電部材は、導電性固体粉末を含む導電性グリースであることを特徴とするケーブルねじれ止め構造体。
【請求項４】
請求項１または２に記載のケーブルねじれ止め構造体において、
上記電気的接点部材は、上記電極端子の外周方向の長さの半分以下の長さに接触あるいは近接することを特徴とするケーブルねじれ止め構造体。
【請求項５】
請求項２に記載のケーブルねじれ止め構造体において、
隣り合う上記複数の電極部において、上記電極端子の先端側の上記電極部の外径は、上記電極端子の基端側の上記電極部の外径よりも小さいことを特徴とするケーブルねじれ止め構造体。
【請求項６】
請求項２に記載のケーブルねじれ止め構造体において、
上記複数の電気的接点部材は、上記軸心を中心とした略等間隔の中心角にて、配置されていることを特徴とするケーブルねじれ止め構造体。
【請求項７】
請求項２に記載のケーブルねじれ止め構造体において、
上記端子受け部は、隣り合う上記導電部材が収容されている空間を仕切る内鍔部を有し、上記電極端子は、上記内鍔部に係合して上記軸心方向への動きを規制する外鍔部を有することを特徴とするケーブルねじれ止め構造体。
【請求項８】
請求項１または２に記載のケーブルねじれ止め構造体において、
上記端子受け部の外側で、かつ、上記電極端子と上記端子受け部との間に、シール部材を介在したことを特徴とするケーブルねじれ止め構造体。
【請求項９】
請求項２に記載のケーブルねじれ止め構造体と、上記電極端子に連結された上記一方のケーブルと、上記端子受け部に連結された上記他方のケーブルとを備え、
上記一方のケーブルと上記他方のケーブルとが、夫々、左右のチャンネル用信号線を有することを特徴とするオーディオ用ケーブル。
【請求項１０】
請求項９に記載のオーディオ用ケーブルと、このオーディオ用ケーブルの途中に配置されると共に上記左右のチャンネル用信号線を一方にて相互に離間し他方にて相互に接近させる左右信号線集合部とを備え、上記ねじれ止め構造体を上記左右信号線集合部に一体に配置したことを特徴とするヘッドホン用ケーブル。
【請求項１１】
請求項９に記載のオーディオ用ケーブルと、このオーディオ用ケーブルの途中に配置されると共にオーディオ機器を遠隔操作するための機器操作部とを備え、上記ねじれ止め構造体を上記機器操作部に近接してまたは一体に配置したことを特徴とするヘッドホン用ケーブル。
【発明の詳細な説明】
【０００１】
【発明の属する技術分野】
この発明は、例えばヘッドホンとオーディオ機器とを接続するケーブル等のケーブルのねじれを防止するケーブルねじれ止め構造体、このケーブルねじれ止め構造体を備えるオーディオ用ケーブル、および、このオーディオ用ケーブルを備えるヘッドホン用ケーブルに関する。
【０００２】
【従来の技術】
一般に、ケーブルのねじれを防止する構造としては、ケーブル自体に弾性を持たせてねじれを復元させる構造や、ケーブルをコイル状に成形するといった構造がとられていた。
【０００３】
しかし、この構造では、ケーブルをねじれ難くしているだけであって、根本的にケーブルのねじれを防止することができなかった。
【０００４】
そこで、従来、ケーブルがねじれても電気的な導通を確保して、ケーブルのねじれを防止することができる構造が提案されている。
【０００５】
従来の第１の構造では、図５に示すように、絶縁体パイプ５１の内部中心に絶縁体の回転軸５３を配置し、この回転軸５３の外周にパイプ電極５５を配置し、このパイプ電極５５に接触するブラシ電極５６を上記絶縁体パイプ５１の内側に配置している（実開平１‐７２７５５号公報：特許文献１参照）。
【０００６】
そして、一次側の配線５０は上記ブラシ電極５６と接続され、二次側の配線５９は上記パイプ電極５５と接続され、上記回転軸５３の回転に関わらず、一次側の配線５０と二次側の配線５９とを導通することができる。
【０００７】
また、従来の第２の構造は、二重円筒状の電極間に導電物質を注入する構造である（実開平４‐１２５４８２号公報：特許文献２参照）。
【０００８】
具体的に述べると、図６に示すように、外側円筒状電極６１，６３にコード６５，６７を接続し、内側円筒状電極６２，６４にコード６６，６８を接続し、上記外側円筒状電極６１，６３と上記内側円筒状電極６２，６４との間に水銀などの導電物質を充填して、外側円筒状電極６１，６３と内側円筒状電極６２，６４とは、導電を維持しつつ相対的に回転可能となり、各々に接続されたコードのねじれを防止することができる。
【０００９】
【特許文献１】
実開平１‐７２７５５号公報（第１図、第２図）
【特許文献２】
実開平４‐１２５４８２号公報（図１、図４）
【００１０】
【発明が解決しようとする課題】
しかしながら、上記従来の第１の構造では、上記パイプ電極５５と上記ブラシ電極５６との金属接点にて導通する構造は簡便ではあるが、上記パイプ電極５５と上記ブラシ電極５６との摩擦により上記回転軸５３の回転抵抗が大きくなる傾向があった。特に、配線５９，５０がシールドケーブルや多芯線の場合は、上記パイプ電極５５と上記ブラシ電極５６との接点の数が増えるため、上記回転軸５３の自由な回転が損なわれ、ねじれ止めの役割を失ってしまう問題があった。
【００１１】
また、上記従来の第２の構造では、その構造が複雑になり製造が難しい問題があった。たとえば、導電物質として水銀を用いた場合、水銀は、優れた導電性を持つが、表面張力が大きいため、小さな空間に封入することが常温・大気圧化では困難であった。また、有害であるため、密閉性を確保せねばならず、簡便な方法で製造することができなかった。一方、導電物質として液状あるいはゲル状の非金属性導電剤を用いた場合、非金属性導電剤は、抵抗が大きく、しかも、イオン導電性のため電圧変化の応答が悪く信号線には不向きであった。
【００１２】
そこで、この発明の課題は、ケーブルのねじれを確実に防止できると共に例えばアナログ機器等のケーブルに適用できる低ノイズのケーブルねじれ止め構造体、このケーブルねじれ止め構造体を備えるオーディオ用ケーブル、および、このオーディオ用ケーブルを備えるヘッドホン用ケーブルを提供することにある。
【００１３】
【課題を解決するための手段】
上記課題を解決するため、本発明のケーブルねじれ止め構造体は、一方のケーブルの端部が連結される棒状の電極端子と、他方のケーブルの端部が連結されると共に上記電極端子が回転自在に内嵌される端子受け部とを備えたケーブルねじれ止め構造体であって、
上記端子受け部は、上記電極端子に接触あるいは近接する電気的接点部材を含み、
上記電極端子と上記電気的接点部材との接触している部分の近傍または上記電極端子と上記電気的接点部材との間に設けられた潤滑性と粘性を有する導電部材を備えたことを特徴としている。
【００１４】
ここで、上記ケーブルとは、導体として一本の芯線を有する単線、複数の単線を有する複線、導体としてシールド線と芯線とを有するシールドケーブル、または、導体として複数の芯線を有する多芯線等をいう。また、上記電気的接点部材は、上記電極端子を、その径方向または軸心方向に支持できる位置に配置されている。
【００１５】
上記電極端子は、例えば、ステレオピンジャックに代表されるような同心筒状の電極を段々に重ねた形状や、円錐形状のような、ケーブル側から順に半径の小さくなる同心回転体形状等である。また、棒状とは、中実または中空をいう。
【００１６】
上記電気的接点部材は、ブラシ電極等である。上記導電部材は、導電性グリースや導電性ゲル等であり、この導電性グリースは、カーボンブラックに代表される導電性固体粉末を含むグリース等をいう。
【００１７】
本発明のケーブルねじれ止め構造体によれば、上記電気的接点部材と上記電極端子とは、直接に、または、上記導電部材を介して、接触しているので、上記一方のケーブル（上記電極端子）と上記他方のケーブル（上記端子受け部）とが相対的に回転しても、両方のケーブルを電気的に接続するこができる。
【００１８】
また、上記導電部材は潤滑性と粘性を有するので、上記潤滑性により、上記電極端子と上記電気的接点部材との回転摩擦を軽減でき、上記粘性により、上記導電部材を例えば常温で容易に滴下しない程度に設定することができる。さらに、上記導電部材により、上記電極端子と上記電気的接点部材との接触を安定させて、信号ノイズを抑制することができる。また、上記導電部材は、上記電極端子に塗布することで付着でき、従来の電極間を導電物質で満たす構造に比べて、導電部材が少量で済み、構造も簡便化できる。
【００１９】
以上まとめると、上記電気的接点部材と上記電極端子とは上記導電部材を介して常時接触して導通を確保しており、何らかの外力で上記電気的接点部材が上記電極端子から微小に浮いてしまった場合でも、上記導電部材が信号の伝達を補助するため、信号ノイズの発生を抑制できる。また、上記導電部材の粘性が、上記電気的接点部材の瞬時的な運動を抑制して導通を安定化させる。要するに、従来では、接触不良による導通不通や信号ノイズの発生を恐れて電極端子と電気的接点部材は強固な接触をとっていたが、本発明では、比較的弱い接触にできる。
【００２０】
さらに、上記電極端子の表面を上記導電部材で保護するので、偏性劣化が抑えられる。具体的に述べると、通常、上記電極端子の外気に露出している部分は、酸化されてその表面が偏った劣化を起こす（これを偏性劣化という）。そして、上記電極端子と上記電気的接点部材との接触位置がずれると、上記電気的接点部材は、外気に触れていなかった上記電極端子の表面から、酸化した上記電極端子の表面へと接触状況が変わって、信号ノイズが発生する。しかし、本発明では、上記電極端子の周面全体を導電部材で覆うことで上記問題を回避できる。
【００２１】
また、本発明のケーブルねじれ止め構造体は、複数の導体を有する一方のケーブルの端部が連結される棒状の電極端子と、複数の導体を有する他方のケーブルの端部が連結されると共に上記電極端子が軸心廻りに回転自在に内嵌される端子受け部とを備えたケーブルねじれ止め構造体であって、
上記電極端子は、上記軸心方向に沿って配置されると共に上記一方のケーブルの各導体が連結されると共に互いに電気的に絶縁された複数の電極部を含み、
上記端子受け部は、上記各電極部に接触あるいは近接すると共に上記他方のケーブルの各導体が連結される複数の電気的接点部材を含み、
上記電極部と上記電気的接点部材との接触している部分の近傍または上記電極部と上記電気的接点部材との間に設けられた潤滑性と粘性を有する導電部材を備えたことを特徴としている。
【００２２】
ここで、上記ケーブルとは、導体として一本の芯線を有する単線以外をいい、複数の単線を有する複線、導体としてシールド線と芯線とを有するシールドケーブル、または、導体として複数の芯線を有する多芯線等をいう。
【００２３】
また、一つの上記導体に対して、上記電気的接点部材を一つずつ設けてもよく、または、一つの上記導体に対して、上記電気的接点部材を複数設けてもよい。
【００２４】
本発明のケーブルねじれ止め構造体によれば、上記電気的接点部材と上記電極端子とは、直接に、または、上記導電部材を介して、接触しているので、上記一方のケーブル（上記電極端子）と上記他方のケーブル（上記端子受け部）とが相対的に回転しても、両方のケーブルを電気的に接続することができる。
【００２５】
特に、上記ケーブルがシールドケーブルや多芯線の場合において、上記電極端子と上記電気的接点部材との接点数が増えても、両方のケーブルを円滑に相対的に回転させることができて、ケーブルのねじれを確実に防止することができる。
【００２６】
また、上記導電部材は潤滑性と粘性を有するので、上記潤滑性により、上記電極端子と上記電気的接点部材との回転摩擦を軽減でき、上記粘性により、上記導電部材を例えば常温で容易に滴下しない程度に設定することができる。さらに、上記導電部材により、上記電極端子と上記電気的接点部材との接触を安定させて、信号ノイズを抑制することができる。また、上記導電部材は、上記電極端子に塗布することで付着でき、従来の電極間を導電物質で満たす構造に比べて、導電部材が少量で済み、構造も簡便化できる。
【００２７】
また、上記電極端子は、上記軸心方向に沿って、複数の電極部を有しているので、上記両方のケーブルの導体が、混線して接続されることがない。
【００２８】
以上まとめると、上記電気的接点部材と上記電極端子とは上記導電部材を介して常時接触して導通を確保しており、何らかの外力で上記電気的接点部材が上記電極端子から微小に浮いてしまった場合でも、上記導電部材が信号の伝達を補助するため、信号ノイズの発生を抑制できる。また、上記導電部材の粘性が、上記電気的接点部材の瞬時的な運動を抑制して導通を安定化させる。要するに、従来では、接触不良による導通不通や信号ノイズの発生を恐れて電極端子と電気的接点部材は強固な接触をとっていたが、本発明では、比較的弱い接触にできる。
【００２９】
さらに、上記電極端子の表面を上記導電部材で保護するので、偏性劣化が抑えられる。具体的に述べると、通常、上記電極端子の外気に露出している部分は、酸化されてその表面が偏った劣化を起こす（これを偏性劣化という）。そして、上記電極端子と上記電気的接点部材との接触位置がずれると、上記電気的接点部材は、外気に触れていなかった上記電極端子の表面から、酸化した上記電極端子の表面へと接触状況が変わって、信号ノイズが発生する。しかし、本発明では、上記電極端子の周面全体を導電部材で覆うことで上記問題を回避できる。
【００３０】
また、一実施形態のケーブルねじれ止め構造体では、上記導電部材は、導電性固体粉末を含む導電性グリースである。なお、この導電性固体粉末は、カーボンブラック等である。
【００３１】
この一実施形態のケーブルねじれ止め構造体によれば、潤滑性と滴下しない程度の粘性とをもたせることができる。また、電圧変化の追従がよくて信号の伝達に適したものとなる。すなわち、上記導電部材として導電性ゲルを用いた場合、この導電性ゲルは、導電性グリースと類似の性質を持つが、イオン導電性物質であるため電圧変化の追従が遅く信号の伝達には適さない。
【００３２】
また、一実施形態のケーブルねじれ止め構造体では、上記電気的接点部材は、上記電極端子の外周方向の長さの半分以下の長さに接触あるいは近接する。
【００３３】
この一実施形態のケーブルねじれ止め構造体によれば、上記端子受け部を中心軸対称に２分割する単純構造に出来る上、上記電気的接点部材と上記電極端子との接触面積を減少させて回転摩擦を軽減できる。
【００３４】
また、一実施形態のケーブルねじれ止め構造体では、隣り合う上記複数の電極部において、上記電極端子の先端側の上記電極部の外径は、上記電極端子の基端側の上記電極部の外径よりも小さい。
【００３５】
この一実施形態のケーブルねじれ止め構造体によれば、上記電気的接点部材と上記電極端子との接触位置をできるだけ上記軸心に近づけることができ、上記電極端子の回転抵抗モーメントを小さくできる。
【００３６】
また、一実施形態のケーブルねじれ止め構造体では、上記複数の電気的接点部材は、上記軸心を中心とした略等間隔の中心角にて、配置されている。
【００３７】
この一実施形態のケーブルねじれ止め構造体によれば、上記電気的接点部材の上記電極端子への接触荷重の偏りを均衡させ、上記電極端子の回転軸ずれを防止して回転摩擦を軽減できる。
【００３８】
また、一実施形態のケーブルねじれ止め構造体では、上記端子受け部は、隣り合う上記導電部材が収容されている空間を仕切る内鍔部を有し、上記電極端子は、上記内鍔部に係合して上記軸心方向への動きを規制する外鍔部を有する。
【００３９】
なお、上記外鍔部および上記内鍔部は、環状であってもよく、または、周方向所定個所に切り欠きを有するものであってもよい。また、上記外鍔部および上記内鍔部は、同心状である。
【００４０】
この一実施形態のケーブルねじれ止め構造体によれば、上記内鍔部は、上記外鍔部の端面と上記電極端子の外周面とに近接または接触して、上記電極端子の上記端子受け部からの脱落と、上記電極端子の回転軸ずれを防ぐことができる。また、上記内鍔部は、隣り合う上記導電部材が収容されている空間を仕切るので、上記内鍔部は上記導電部材の堰の役割を担う。すなわち、上記導電部材の塗布過多や滴下・浸透により、上記導電部材が、隣接する他の電極部へ漏電しない対策になる。なお、上記内鍔部または上記外鍔部に、補助的に、上記導電部材の漏れを防ぐための凹凸を形成するようにしてもよい。
【００４１】
また、一実施形態のケーブルねじれ止め構造体では、上記端子受け部の外側で、かつ、上記電極端子と上記端子受け部との間に、シール部材を介在している。
【００４２】
この一実施形態のケーブルねじれ止め構造体によれば、上記導電部材の乾燥や酸化、異物の侵入による汚染などの劣化を防ぐことができる。なお、このシール部材にグリースを用いて、さらに、上記電極端子と上記電気的接点部材との回転摩擦の軽減を図るようにしてもよい。
【００４３】
また、本発明のオーディオ用ケーブルは、上記発明のケーブルねじれ止め構造体と、上記電極端子に連結された上記一方のケーブルと、上記端子受け部に連結された上記他方のケーブルとを備え、
上記一方のケーブルと上記他方のケーブルとが、夫々、左右のチャンネル用信号線を有することを特徴としている。
【００４４】
本発明のオーディオ用ケーブルによれば、上記発明のケーブルねじれ止め構造体を備えているので、ケーブルのねじれを確実に防止できると共に電極の接点ノイズを抑制できる。
【００４５】
また、本発明のヘッドホン用ケーブルは、上記発明のオーディオ用ケーブルと、このオーディオ用ケーブルの途中に配置されると共に上記左右のチャンネル用信号線を一方にて相互に離間し他方にて相互に接近させる左右信号線集合部とを備え、上記ねじれ止め構造体を上記左右信号線集合部に一体に配置したことを特徴としている。
【００４６】
本発明のヘッドホン用ケーブルによれば、上記発明のオーディオ用ケーブルを備えているので、ケーブルのねじれを確実に防止できると共に電極の接点ノイズを抑制できる。具体的に述べると、ヘッドホンは左右の耳専用にあてがうホーンが決まっているため、各ホーンを適正な側の耳にあてがうためにヘッドホンを半回転させる場合が多く、上記ねじれ止め構造体を上記左右信号線集合部に一体に配置することで、ねじれ止め機能を有効に活用できる。
【００４７】
また、本発明のヘッドホン用ケーブルは、上記発明のオーディオ用ケーブルと、このオーディオ用ケーブルの途中に配置されると共にオーディオ機器を遠隔操作するための機器操作部とを備え、上記ねじれ止め構造体を上記機器操作部に近接してまたは一体に配置したことを特徴としている。
【００４８】
本発明のヘッドホン用ケーブルによれば、上記発明のオーディオ用ケーブルを備えているので、ケーブルのねじれを確実に防止できると共に電極の接点ノイズを抑制できる。具体的に述べると、ヘッドホンは左右の耳専用にあてがうホーンが決まっているため、各ホーンを適正な側の耳にあてがうためにヘッドホンを半回転させる場合が多く、また、ヘッドホンの収納時にケーブルを巻き付ける場合が多々あり、上記オーディオ機器が、例えば携帯音楽再生機器の場合、上記ねじれ止め構造体を上記機器操作部に近接してまたは一体に配置することで、ねじれ止め機能を有効に活用でき、小型化が可能になる。
【００４９】
【発明の実施の形態】
以下、この発明を図示の実施の形態により詳細に説明する。
【００５０】
（第１の実施形態）
図１は、本発明のヘッドホン用ケーブルの一実施形態を示す簡略構成説明図である。このヘッドホン用ケーブル３は、オーディオ機器１とヘッドホン２とを接続するものであり、オーディオ用ケーブル２０とこのオーディオ用ケーブル２０の途中に配置される左右信号線集合部４とを備える。
【００５１】
上記オーディオ用ケーブル２０は、左右のチャンネル用信号線と、ケーブルねじれ止め構造体３０を有している。上記ねじれ止め構造体３０は、上記左右信号線集合部４に一体に配置される。上記左右信号線集合部４は、上記左右のチャンネル用信号線を一方にて相互に離間し他方にて相互に接近させるものである。
【００５２】
上記ケーブルねじれ止め構造体３０は、図４に示すように、一方のケーブルの端部が連結される棒状の電極端子５と、他方のケーブルの端部が連結されるケース状の端子受け部１２とを備え、上記電極端子５は、軸心Ｚ廻りに回転自在に、上記端子受け部１２に内嵌される。
【００５３】
上記一方のケーブルは、右チャンネル用信号線７と左チャンネル用信号線８とを有し、上記他方のケーブルは、右チャンネル用信号線１４と左チャンネル用信号線１５とを有する。
【００５４】
上記電極端子５は、図２と図３に示すように、上記軸心Ｚ方向に沿って配置されると共に互いに電気的に絶縁された複数の電極部６ａ，６ｂ，６ｃと、樹脂等で成形されたケース部材９とを備える。このケース部材９は、上記電極部６ａ，６ｂ，６ｃと上記左右のチャンネル用信号線７，８との接続部位を被覆する。
【００５５】
上記右チャンネル用信号線７は、シールドケーブルであり、中心部の信号用芯線７ａと、この芯線７ａの周囲を被覆する絶縁部７ｂと、この絶縁部７ｂの周囲を覆うシールド線７ｃとを有する。上記芯線７ａと上記シールド線７ｃとが、導体に相当する。同様に、上記左チャンネル用信号線８は、シールドケーブルであり、信号用芯線８ａ、絶縁部８ｂおよびシールド線８ｃを有する。
【００５６】
上記電極部６ａ，６ｂ，６ｃは、互いに重なった同心円筒形状であり、中心軸に対して対称形である。最も内側の第１の電極部６ａは右信号用芯線７ａと接続され、中間の第２の電極部６ｂは左信号用芯線８ａと接続され、最も外側の第３の電極部６ｃは左右のシールド線７ｃ，８ｃと接続される。
【００５７】
第１の電極部６ａと第２の電極部６ｂとの間には、第１の絶縁部１０ａが介在し、第３の電極部６ｃと第２の電極部６ｂとの間には、第２の絶縁部１０ｂが介在する。
【００５８】
第２の電極部６ｂは、その先端側端縁に、円盤状のガイドに相当する第１の外鍔部１１ａを有し、第３の電極部６ｃは、その先端側端縁に、円盤状のガイドに相当する第２の外鍔部１１ｂを有する。上記第１と第２の外鍔部１１ａ，１１ｂを除けば、上記電極端子５の基本構造は、隣り合う上記複数の電極部において、上記電極端子の先端側の上記電極部の外径が、上記電極端子の基端側の上記電極部の外径よりも小さく、ステレオジャックと同様の構造である。左右のシールド線７ｃ，８ｃが、第３の電極部６ｃに導通することで、電極端子５の構造が簡易になる。この実施形態のように複数のシールドケーブルを束ねて電極端子へ接続する場合、各ケーブルの外側に位置し共通の電極へとつながるシールド線は上記構造が望ましい。
【００５９】
すなわち、上記電極端子５は、その先端側から順次、第１の電極部６ａ、第２の電極部６ｂ、第３の電極部６ｃが露出しており、この各露出部が、導電範囲に相当する。そして、上記隣り合う導電範囲の間に、上記第１と第２の外鍔部１１ａ，１１ｂが配置する。
【００６０】
上記端子受け部１２は、図４に示すように、上記電極部６ａ，６ｂ，６ｃを収納する樹脂等で成形された外装ケース１３を備える。上記他方のケーブルは、上記一方のケーブルと同じ構成であり、上記右チャンネル用信号線１４は、信号用芯線１４ａ、絶縁部１４ｂおよびシールド線１４ｃを有し、上記左チャンネル用信号線１５は、信号用芯線１５ａ、絶縁部１５ｂおよびシールド線１５ｃを有する。
【００６１】
上記外装ケース１３の内面には、他方のケーブルから一方のケーブル側へ順次、上記軸心Ｚに沿って、第１の電気的接点部材１７ａ、第２の電気的接点部材１７ｂおよび第３の電気的接点部材１７ｃが取り付けられている。
【００６２】
上記第１の電気的接点部材１７ａは、上記第１の電極部６ａに接触あるいは近接すると共に上記他方のケーブルの右信号用芯線１４ａと接続する。上記第２の電気的接点部材１７ｂは、上記第２の電極部６ｂに接触あるいは近接すると共に上記他方のケーブルの左信号用芯線１５ａと接続する。上記第３の電気的接点部材１７ｃは、上記第３の電極部６ｃに接触あるいは近接すると共に上記他方のケーブルの左右のシールド線１４ｃ，１５ｃと接続する。
【００６３】
上記第１の電極部６ａと上記第１の電気的接点部材１７ａとの接触している部分の近傍または上記第１の電極部６ａと上記第１の電気的接点部材１７ａとの間に、潤滑性と粘性を有する第１の導電部材１８ａを環状に塗布している。同様に、上記第２の電極部６ｂと上記第２の電気的接点部材１７ｂとの接触部分近傍または間に、第２の導電部材１８ｂを環状に塗布し、上記第３の電極部６ｃと上記第３の電気的接点部材１７ｃとの接触部分近傍または間に、第３の導電部材１８ｃを環状に塗布している。
【００６４】
上記導電部材１８ａ，１８ｂ，１８ｃは導電性グリースであり、この導電性グリースはカーボンブラックに代表される導電性固体粉末を含むグリースであり、潤滑性と滴下しない程度の粘性を備えている。このように、上記導電部材１８ａ，１８ｂ，１８ｃは、上記電気的接点部材１７ａ，１７ｂ，１７ｃの触れる上記電極部６ａ，６ｂ，６ｃ円筒面上に塗布されることで、上記電極端子５の回転摩擦を軽減しつつ電気的接触を安定させ信号ノイズを抑制する効果を有する。また、上記電極部６ａ，６ｂ，６ｃに塗布する導電物に導電性グリースを用いたことで、潤滑性や粘性において類似の性質を持つ導電性ゲルよりも電圧変化の追従に優れる。
【００６５】
上記電極部６ａ，６ｂ，６ｃと上記電気的接点部材１７ａ，１７ｂ，１７ｃは、上記導電部材１８ａ，１８ｂ，１８ｃの界面を介して触れ合って導通しているので、上記電気的接点部材１７ａ，１７ｂ，１７ｃは上記電極端子５の回転運動を妨げるほど強固に押さえつけられていない。上記電気的接点部材１７ａ，１７ｂ，１７ｃの先端は上記電極端子５の外周面に沿って婉曲しており、上記電極端子５の外周方向の長さの半分以下の長さに接触あるいは近接する。したがって、上記電極端子５の回転摩擦を軽減して、ねじれ止めの機能を有効に作用させることができる。
【００６６】
また、上記電気的接点部材１７ａ，１７ｂ，１７ｃは、本発明の構造を複雑にしない程度に、上記軸心Ｚを中心とした略等間隔の中心角にて、分散して配置されている。したがって、上記電気的接点部材１７ａ，１７ｂ，１７ｃの上記電極端子５への接触荷重の偏りを均衡させ、上記電極端子５の回転軸ずれを防止し回転摩擦を軽減できる。
【００６７】
上記外装ケース１３の内面には、他方のケーブルから一方のケーブル側へ順次、上記軸心Ｚに沿って、第１の内鍔部１９ａ、第２の内鍔部１９ｂおよび第３の内鍔部１９ｃが取り付けられている。
【００６８】
上記第１の内鍔部１９ａは、上記第１の外鍔部１１ａの端面と上記第１の電極部６ａの外面とに接近しており、上記第２の内鍔部１９ｂは、上記第２の外鍔部１１ｂの端面と上記第２の電極部６ａの外面とに接近しており、上記第３の内鍔部１９ｃは、上記第２の外鍔部１１ｂの端面と上記第３の電極部６ｃの外面とに接近している。このように、上記内鍔部１９ａ，１９ｂ，１９ｃは、上記外鍔部１１ａ，１１ｂを支持するホルダとしての役割を担い、上記電極端子５の回転軸ずれや上記外装ケース１３からの脱落を防ぐことができる。要するに、上記外鍔部１１ａ，１１ｂは、上記内鍔部１９ａ，１９ｂ，１９ｃに係合して上記電極端子５の上記軸心Ｚ方向への動きを規制する。また、上記内鍔部１９ａ，１９ｂ，１９ｃは、隣り合う上記導電部材が収容されている空間を仕切るので、上記導電部材１８ａ，１８ｂ，１８ｃを、隣接する別の電極部や、隣接する別の導電部材に浸透させない堰としての役割を担う。
【００６９】
なお、上記端子受け部１２の外側で、かつ、上記電極端子５と上記端子受け部１２との間に、シール部材を介在してもよい。具体的に述べると、上記ケース部材９と上記外装ケース１３との間の境界１６に、グリースを塗布する。したがって、上記導電部材１８ａ，１８ｂ，１８ｃの乾燥や酸化、異物の侵入による汚染などの劣化を防ぐことができ、かつ、上記電極端子５の回転摩擦を軽減できる。
【００７０】
なお、上記ケース部材９および上記外装ケース１３にシールド線を配して信号ノイズを低減させるようにしてもよい。
【００７１】
（第２の実施形態）
次に、図示省略するが、本発明の他のヘッドホン用ケーブルは、上記オーディオ用ケーブル２０の途中に機器操作部を備える。この機器操作部は、上記オーディオ機器１を遠隔操作するためのものである。そして、上記ねじれ止め構造体３０を上記機器操作部に近接してまたは一体に配置している。したがって、ケーブルのねじれを確実に防止でき、電極の接点ノイズを抑制でき、小型化が可能になる。
【００７２】
【発明の効果】
以上より明らかなように、本発明のケーブルねじれ止め構造体によれば、上記電気的接点部材と上記電極端子とは、直接に、または、上記導電部材を介して、接触しているので、両方のケーブルの相対的回転に関係なく、導通を維持でき、かつ、ケーブルのねじれを解消できる。また、上記導電部材により、上記電極端子と上記電気的接点部材の摩擦を軽減し、かつ、上記電極端子と上記電気的接点部材との接触状況を安定させて信号ノイズを低減する。また、構造が簡便であるため、小型化が可能になる。
【００７３】
また、本発明のオーディオ用ケーブルによれば、上記発明のケーブルねじれ止め構造体を備えているので、ケーブルのねじれを確実に防止できると共に電極の接点ノイズを抑制できる。
【００７４】
また、本発明のヘッドホン用ケーブルによれば、上記発明のオーディオ用ケーブルを備えているので、ケーブルのねじれを確実に防止できると共に電極の接点ノイズを抑制できる。
【図面の簡単な説明】
【図１】本発明のヘッドホン用ケーブルの一実施形態を示す簡略構成説明図である。
【図２】電極端子を示す正面図である。
【図３】電極端子を示す一部断面正面図である。
【図４】本発明のケーブルねじれ止め構造体を示す一部断面正面図である。
【図５】従来例を示す一部断面斜視図である。
【図６】従来例を示す斜視図である。
【符号の説明】
１  オーディオ機器
３  ヘッドホン用ケーブル
４    左右信号線集合部
５    電極端子
７    右チャンネル用信号線
８    左チャンネル用信号線
１１ａ，１１ｂ  外鍔部
１２  端子受け部
１４  右チャンネル用信号線
１５  左チャンネル用信号線
１７ａ，１７ｂ，１７ｃ  電気的接点部材
１８ａ，１８ｂ，１８ｃ  導電部材
１９ａ，１９ｂ，１９ｃ  内鍔部
２０  オーディオ用ケーブル
３０  ケーブルねじれ止め構造体
Ｚ    軸心
【図１】
2005019014.tif 000003
【図２】
2005019014.tif 000004
【図３】
2005019014.tif 000005
【図４】
2005019014.tif 000006
【図５】
2005019014.tif 000007
【図６】
2005019014.tif 000008